(57)【特許請求の範囲】
【請求項１】
ＩＳＤＮ基本インタフェース回線及び複数の内線電話機を収容する電話交換装置に接続され、前記電話交換装置が完全停電した際に１つのＩＳＤＮ基本インタフェース回線と予め指定された２つの内線電話機間の通話路を回線切替スイッチにより電話交換装置から切り替えて、前記２つの内線電話機を発着信可能にするためのＩＳＤＮ停電切替装置であって、
前記電話交換装置が停電動作から復旧した際に、前記２つの内線電話機の少なくとも一つが通話中の場合に、前記２つの内線電話機が終話状態になるまで前記回線切替スイッチを停電状態に保持し、前記２つの内線電話機が両方とも終話状態であることを検出すると、前記回線切替スイッチを通常状態に接続する通話検出手段と、前記通話検出手段による停電復旧時の通話保持状態において新たに発着信できる通話回数を前記２つの内線電話機のそれぞれに予め設定し、前記通話回数に達した場合は、当該内線電話機を閉塞し、該内線電話機からの新たな発着信を規制する通話回数検出手段と、を備えたことを特徴とするＩＳＤＮ停電切替装置。
【請求項２】
前記電話交換装置の収容回線インタフェースとしてのＩＳＤＮ−Ｔ点インタフェース及びＵ点インタフェースに対応して切替可能なＵ点／Ｔ点切替手段を備えた請求項１記載のＩＳＤＮ停電切替装置。
【発明の詳細な説明】
【０００１】
【発明の属する技術分野】
本発明は、ＩＳＤＮ回線を収容するデジタル構内交換装置やボタン電話主装置などの通信制御装置と併用され、電話交換装置が完全停電した際でも収容された電話機を発着信可能にするためのＩＳＤＮ停電切替装置に関し、特に、停電復旧時における通話中の呼を保持でき、またこの保持を適切ＩＳＤＮ停電切替装置に関する。
【０００２】
【従来の技術】
図４は、従来のＩＳＤＮ停電切替装置５４の構成を示す図である。まず、正常運用時、即ち、通電時におけるシステム動作を説明する。図４において、電話交換装置６４は、通電時においては、ＩＳＤＮ停電切替装置５４内の回線切替スイツチ５５，６２，６３が、“正常時”側に切り替わった状態にあり、公衆網から引き込まれたＩＳＤＮ回線は、電話交換装置６４のＩＳＤＮ局線インタフェース回路６５に接続され、また、内線電話機６７，６８は、電話交換装置６４の内線インタフェース回路６６に接続されており、内線電話機６７，６８は、電話交換装置６４を介して発着信動作を行う。この状態でＩＳＤＮ停電切替装置５４の内部回路は、電話交換装置６４から切り離されている。
【０００３】
次に、停電時のシステムの動作を説明する。電話交換装置６４が完全停電した際には、電話交換装置６４の電源電圧を監視するＩＳＤＮ停電切替装置５４内の停電検出部６１は回線切替スイッチ５５，６２，６３を“停電時”側に切り替えて電話交換装置６４が切り離される。これにによりＩＳＤＮ停電切替装置５４の各内部回路は局給電検出部６０により局給電とされた動作を開始する。
【０００４】
ＩＳＤＮ停電切替装置５４内においてＩＳＤＮ回線のＬ１機能はＵ点対応Ｌ１終端部５８によって終端され、ＩＳＤＮ回線のＬ２／Ｌ３機能はＬ２／Ｌ３終端部５６と制御ＣＰＵ５７において終端され、ＩＳＤＮ回線上のＢｃｈ上の音声データと、Ｄｃｈ上の各種呼制御情報は、内線インタフェース回路変換部５９により電話交換装置６４の内線電話機のインタフェース形式に変換される。
【０００５】
ＩＳＤＮ停電切替装置５４による上記の一連の動作により、予め指定回路に接続されている内線電話機６７，６８は、電話交換装置６４を介することなく、動作可能となる。電話交換装置６４が復電（停電復旧）した際には、同様に電話交換装置６４の電源電圧を監視している停電検出部６１により回線切替スイッチ５５，６２，６３が“正常時”側に切り替わり、ＩＳＤＮ停電切替装置５４の内部回路が切り離され、内線電話機６７，６８は電話交換装置６４を介して発着信動作を行うようになる。
【０００６】
この様に、上記従来のＩＳＤＮ停電切替装置を使用することにより、電話交換装置が完全停電した際には、前記ＩＳＤＮ停電切替装置を介して予め指定された内線電話機が動作可能となり、また、復電（停電復旧）した際には、電話交換装置を介した正常運用形態に戻すことが可能である。
【０００７】
【発明が解決しようとする課題】
しかしながら、上記従来のＩＳＤＮ停電切替装置５４においては、下記のような不都合が生じた。
１．復電時の通話切替を電話交換装置の電源電圧の復旧監視のみで行っていたため、電話交換装置が復電して正常運用形態に切り替わる際、停電時に通話状態にあった呼は強制的に切断される。
２．復電時に無条件に停電状態にある通話呼を保持すると、ＩＳＤＮ回線には多重化された２通話路を有するため、両通話路のどちらかが通話状態にある限り復電したにもかかわらずいつまでも回線が正常運用状態に切り替わらない。
【０００８】
本発明は、上記従来の問題を解決するためになされたものであり、復電時に通話状態の呼がある場合にはこれを保持でき、また、復電時にはシステムの速やかな復旧切替が行えるＩＳＤＮ停電切替装置を提供することを目的とする。
【０００９】
【課題を解決するための手段】
本発明のＩＳＤＮ停電切替装置は、ＩＳＤＮ基本インタフェース回線及び複数の内線電話機を収容する電話交換装置に接続され、前記電話交換装置が完全停電した際に１つのＩＳＤＮ基本インタフェース回線と予め指定された２つの内線電話機間の通話路を回線切替スイッチにより電話交換装置から切り替えて、前記２つの内線電話機を発着信可能にするためのＩＳＤＮ停電切替装置であって、前記電話交換装置が停電動作から復旧した際に、前記２つの内線電話機の少なくとも一つが通話中の場合に、前記２つの内線電話機が終話状態になるまで前記回線切替スイッチを停電状態に保持し、前記２つの内線電話機が両方とも終話状態であることを検出すると、前記回線切替スイッチを通常状態に接続する通話検出手段と、前記通話検出手段による停電復旧時の通話保持状態において新たに発着信できる通話回数を前記２つの内線電話機のそれぞれに予め設定し、前記通話回数に達した場合は、当該内線電話機を閉塞し、該内線電話機からの新たな発着信を規制する通話回数検出手段と、を備えたことを特徴とする。上記構成によれば、電話交換装置が停電動作から復旧した際に、通話中の呼を当該呼が終話するまで保持するとともに、この状態で新たに発着信できる回数を制限して、適切なタイミングで停電状態から通常状態に切り替えることができ、いつまでもＩＳＤＮ停電切替装置内の回線切替スイッチが停電側に保持されることを防止できる。
【００１１】
また、前記電話交換装置の収容回線インタフェースとしてのＩＳＤＮ−Ｔ点インタフェース及びＵ点インタフェースに対応して切替可能なＵ点／Ｔ点切替手段を備えた構成としても良い。この構成によれば、併用されるデジタル構内交換装置、ボタン電話主装置などの電話交換装置の収容回線インタフェースが、ＩＳＤＮ−Ｔ点インタフェースの場合であっても、あるいはＵ点インタフェースの場合であっても、両インタフェースで使用可能となる。
【００１２】
【発明の実施の形態】
以下、本発明の実施の形態について、図１から図３を用いて説明する。
【００１３】
（実施の形態１）
図１は本発明の実施の形態１におけるＩＳＤＮ停電切替装置１の構成を示す図である。このＩＳＤＮ停電切替装置１は、電話交換装置１２での電源供給が停電時に、この停電を検知して接続されている電話機による通話をこの停電時においても使用可能にするために設けられる。ＩＳＤＮ停電切替装置１は、電話交換装置１２のＩＳＤＮ局線インターフェース回路Ｕ点と内線インターフェース回路との間に設けられる。
【００１４】
公衆網のＩＳＤＮ回線と電話交換装置１２のＩＳＤＮ局線インターフェース回路Ｕ点の間には、回線切替スイッチ２が設けられる。電話交換装置１２の内線インターフェース回路と電話機１５，１６との間にもそれぞれ回線切替スイッチ１０，１１が設けられる。これら回線切替スイッチ２，１０，１１は、停電検出部８によって切替られる。局給電検出部７は、停電時に局給電で装置１を動作させる。Ｕ点対応Ｌ１終端部５は、ＩＳＤＮ回線のＬ１機能を終端させる。Ｌ２／Ｌ３終端部３と制御ＣＰＵ４は、ＩＳＤＮ回線のＬ２／Ｌ３機能を終端させる。内線インタフェース回路変換部６は、ＩＳＤＮ回線上のＢｃｈ上の音声データと、Ｄｃｈ上の各種呼制御情報を電話交換装置１２の内線電話機のインタフェース形式に変換する。通話検出部９は、ＩＳＤＮ停電切替装置１の復電時に通話中の呼の有無を検出し、後述の如く各回線切替スイッチ２，１０，１１の切替を制御する。
【００１５】
次に、上記構成による全体システムの通電時における動作を説明する。電話交換装置１２が通電時（正常運用時）は、ＩＳＤＮ停電切替装置１内の回線切替スイッチ２，１０，１１が、“正常時”側に切り替わった状態にあり、公衆網から引き込まれたＩＳＤＮ回線は、電話交換装置１２のＩＳＤＮ局線インタフェース回路１３に接続され、また、内線電話機１５，１６は、電話交換装置１２の内線インタフェース回路１４に接続されており、内線電話機１５，１６は、電話交換装置１２を介して発着信動作を行う。また、この際、ＩＳＤＮ停電切替装置１の内部回路は、電話交換装置１２から切り離されている。
【００１６】
次に、停電時のシステムの動作を説明する。電話交換装置１２が完全停電した際には、電話交換装置１２の電源電圧を監視しているＩＳＤＮ停電切替装置１内の停電検出部８は回線切替スイッチ２，１０，１１を“停電時”側に切り替え、電話交換装置１２を切り離す。そして、ＩＳＤＮ停電切替装置１の各内部回路は局給電検出部７により局給電で動作を開始する。
【００１７】
ＩＳＤＮ停電切替装置１内において、ＩＳＤＮ回線のＬ１機能はＵ点対応Ｌ１終端部５によって終端され、ＩＳＤＮ回線のＬ２／Ｌ３機能はＬ２／Ｌ３終端部３と制御ＣＰＵ４によって終端される。ＩＳＤＮ回線上のＢｃｈ上の音声データと、Ｄｃｈ上の各種呼制御情報は、内線インタフェース回路変換部６により、電話交換装置１２の内線電話機のインタフェース形式に変換される。このような動作により、予め指定回路に接続されている内線電話機１５，１６は、電話交換装置１２を介することなく動作可能となる。
【００１８】
電話交換装置１２が復電（停電復旧）した際には、電話交換装置１２の電源電圧を監視している停電検出部８は回線切替スイツチ２，１０，１１を“正常時”側に切り替え、ＩＳＤＮ停電切替装置１の内部回路が切り離され、内線電話機１５，１６は電話交換装置１２を介して発着信動作を行うようになる。
【００１９】
ＩＳＤＮ停電切替装置１内に設けられた通話検出部９は、復電の際、通話中の呼の有無を検出している。例えば、電話機のループ電流を検出する。この復電時において、電話機１５もしくは１６が通話中であることが検出されると、通話検出部９はこれらの電話機１５，１６が終話状態となるまで回線切替スイッチ２，１０，１１を“停電時”側に維持させて通話状態を保持する。
【００２０】
なお、本実施形態では、通話検出は電話機のループ電流をする構成としたが、ＩＳＤＮ停電切替装置１内の制御ＣＰＵ４において、論理的に電話機１５，１６の状態管理を検出する構成としても同様に実施可能である。以上のように本発明の実施の形態によれば、ＩＳＤＮ停電切替装置１内に停電時の通話検出部９を設けることにより、電話交換装置１２の復電時に通話状態の呼がある場合はＩＳＤＮ停電切替装置１の停電状態を保持する構成により、当該呼が通話終了するまで
呼を保持することができる。
【００２１】
（実施の形態２）
図２は本発明の実施の形態２におけるＩＳＤＮ停電切替装置１７の構成を示す図である。電話交換装置１２が通電時（正常運用時）は、ＩＳＤＮ停電切替装置１７内の回線切替スイッチ２，１０，１１は、“正常時”側に切り替わった状態である。この状態で、公衆網から引き込まれたＩＳＤＮ回線は、電話交換装置１２のＩＳＤＮ局線インタフェース回路１３に接続され、また、内線電話機１５，１６は、電話交換装置１２の内線インタフェース回路１４に接続され、内線電話機１５，１６は、電話交換装置１２を介して発着信動作を行う。また、この際、ＩＳＤＮ停電切替装置１７の内部回路は、電話交換装置１２から切り離されている。
【００２２】
次に、停電時のシステムの動作を説明する。電話交換装置１２が完全停電した際には、電話交換装置１２の電源電圧を監視しているＩＳＤＮ停電切替装置１７内の停電検出部８により回線切替スイッチ２，１０，１１が“停電時”側に切り替わり、電話交換装置１２が切り離される。そして、ＩＳＤＮ停電切替装置１７の各内部回路は局給電検出部７により局給電で動作を開始する。
【００２３】
ＩＳＤＮ停電切替装置１７内において、ＩＳＤＮ回線のＬ１機能はＵ点対応Ｌ１終端部５によって終端され、ＩＳＤＮ回線のＬ２／Ｌ３機能はＬ２／Ｌ３終端部３と制御ＣＰＵ４によって終端される。ＩＳＤＮ回線上のＢｃｈ上の音声データと、Ｄｃｈ上の各種呼制御情報は、内線インタフェース回路変換部６により、電話交換装置１２の内線電話機のインタフェース形式に変換される。このような動作により、予め指定回路に接続されている内線電話機１５，１６は、電話交換装置１２を介することなく動作可能となる。
【００２４】
電話交換装置１２が復電（停電復旧）した際には、電話交換装置１２の電源電圧を監視している停電検出部８は回線切替スイッチ２，１５，１６を“正常時”側に切り替え、ＩＳＤＮ停電切替装置１７の内部回路が切り離され、内線電話機１５，１６は電話交換装置１２を介して発着信動作を行うようになる。ただし、復電の際、通話中の呼が有る場合は、ＩＳＤＮ停電切替装置１７内の通話検出部９は、電話機１５もしくは１６が通話中で有ることを検出し、これら電話機１５，１６が終話状態となるまで回線切替スイッチ２，１５，１６は“停電時”側に維持され通話状態を保持する。
【００２５】
そして、本実施の形態では通話回数検出部２１を設けている。この通話回数検出部２１は、各電話機１５，１６別に予め設定された回数の通話が終了した段階で、制御ＣＰＵ４により閉塞を実施し、次回の発着信の規制を実施する。これにより、ＩＳＤＮ停電切替装置１７に接続されている２台の電話機１５，１６のうち、いずれかが通話状態にあるが為に、電話交換装置１２が正常に復電したにもかかわらず、いつまでもＩＳＤＮ停電切替装置１７内の回線切替スイッチ２，１０，１１が停電側に保持されることを防止する。
【００２６】
なお、本実施形態では、通話検出、及び通話回数検出は電話機のループ検出により実施したが、ＩＳＤＮ停電切替装置１７内の制御ＣＰＵ４において、論理的に電話機の状態管理を実施しても同様に実施可能である。以上のようにこの実施の形態によれば、ＩＳＤＮ停電切替装置１７内に停電時の電話機の通話検出部９と、各電話機の通話回数検出部２１を設けて、電話交換装置１２の復電時に通話状態の呼がある場合は停電状態を保持する構成により、当該呼が通話終了するまで呼を保持し、通話保持する呼の発生回数を制御することによりシステムの速やかな復旧切替を行うことができる。
【００２７】
（実施の形態３）
図３は本発明の実施の形態３におけるＩＳＤＮ停電切替装置の構成を示す図である。図示のように、図２記載の構成に加えて、回線切替スイッチ４０を更にＤＳＵ部３９とＴ点対応Ｌ１終端部４１の間に配置している。また、回線切替スイツチ２，４０の動作モードを切り替える機能を果たすＴ点／Ｕ点動作モード切替スイッチ５３が設けられている。
【００２８】
図３は、動作モード切替スイッチ５３が、“Ｔ点動作モード”に切り替わっている図を示しており、本動作モードにおいては、回線切替スイッチ２は、図示の様にＩＳＤＮ停電切替装置３４の内部回路側に固定接続され、ＤＳＵ部３９に常時接続され、電話交換装置１２の通電／停電による回線切替動作は、回線切替スイッチ４０によりなされる。また、動作モード切替スイッチ５３を、逆に“Ｕ点動作モード”に切り替えると、回線切替スイッチ４０は、図３に示す“停電時”側に常時固定接続され、電話交換装置１２の通電／停電による回線切替動作は、回線切替スイッチ２によりなされ、ＩＳＤＮ停電切替装置３４は、上記実施の形態２で説明したと同様な動作をする。
【００２９】
次に、上記構成による“Ｔ点動作モード”時のシステムの動作を説明する。図において、電話交換装置１２が通電時（正常運用時）は、ＩＳＤＮ停電切替装置３４内の回線切替スイツチ４０，１０，１１は、“正常時”側に切り替わっており、公衆網から引き込まれたＩＳＤＮ回線は、ＩＳＤＮ停電切替装置３４内のＤＳＵ部３９を経由して、電話交換装置１２のＩＳＤＮ局線インタフェース回路１３に接続され、また、内線電話機１５，１６は、電話交換装置１２の内線インタフェース回路１４に接続され、内線電話機１５，１６は、電話交換装置１２とＩＳＤＮ停電切替装置３４内のＤＳＵ部３９を介して発着信動作を行う。また、本動作モードにおいては、ＩＳＤＮ停電切替装置３４の各内部回路は、局給電検出部７により常時局給電で動作をしている。
【００３０】
次に、停電時のシステムの動作を説明する。電話交換装置１２が完全停電した際には、電話交換装置１２の電源電圧を監視しているＩＳＤＮ停電切替装置３４内の停電検出部８により回線切替スイッチ４０，１０，１１が“停電時”側に切り替わり、電話交換装置１２が切り離される。ＩＳＤＮ停電切替装置３４内において、ＩＳＤＮ回線のＬ１機能はＴ点対応Ｌ１終端部５によって終端され、ＩＳＤＮ回線のＬ２／Ｌ３機能はＬ２／Ｌ３終端部３と制御ＣＰＵ４によって終端される。ＩＳＤＮ回線上のＢｃｈ上の音声データと、Ｄｃｈ上の各種呼制御情報は、内線インタフェース回路変換部６により電話交換装置１２の内線電話機のインタフェース形式に変換される。このような一連の動作により、予め指定回路に接続されている内線電話機１５，１６は、電話交換装置１２を介することなく動作可能となる。
【００３１】
電話交換装置１２が復電（停電復旧）した際には、同様に電話交換装置１２の電源電圧を監視しているＩＳＤＮ停電切替装置３４内の停電検出部８により回線切替スイッチ４０，１０，１１が“正常時”側に切り替わり、ＩＳＤＮ停電切替装置３４のＤＳＵ部３９を除いた内部回路が切り離され、内線電話機１５，１６は電話交換装置１２と、ＩＳＤＮ停電切替装置３４内のＤＳＵ部３９を介して発着信動作を行うようになる。ただし、復電の際、通話中の呼が有る場合は、ＩＳＤＮ停電切替装置３４内の通話検出部９を介して、通話中の電話機１５もしくは１６が有ることが検出され、これらの電話機１５，１６が終話状態となるまで回線切替スイッチ４０，１０，１１は“停電時”側に維持され、通話状態が保持される。
【００３２】
更に、通話回数検出部２１は、各電話機１５，１６別に、予め設定された回数の通話が終了した段階で、制御ＣＰＵ４により閉塞を実施し、次回の発着信の規制を実施する。これにより、ＩＳＤＮ停電切替装置３４に接続されている２台の電話機１５，１６のうち、いずれかが通話状態にあるが為に、電話交換装置１２が正常に復電したにもかかわらず、いつまでもＩＳＤＮ停電切替装置３４内の回線切替スイッチ４０，１０，１１が停電側に保持されることを防止する。
【００３３】
以上のように本発明の実施の形態によれば、Ｔ点インタフェースのみを有する電話交換装置との組み合わせであっても、電話交換装置の復電時に通話状態の呼がある場合は停電状態を保持することにより、当該呼が通話終了するまで呼を保持し、通話保持する呼の発生回数を制御する構成によりシステムの速やかな復旧切替を行うことができる。更に、ＩＳＤＮ停電切替装置内にＵ点／Ｔ点動作モード切替スイッチ５３を設けた構成により、電話交換装置との接続をＵ点／Ｔ点共通で使用できる装置が得られる。
【００３４】
【発明の効果】
本発明は、ＩＳＤＮ停電切替装置内に停電時の通話状態を検出する通話検出部を設けた構成であり、停電後復電時には当該呼が通話終了するまで呼を保持することができるようになる。
【００３５】
また、電話機の通話回数検出部を設けて停電時に通話保持する呼の発生回数を規制することにより、いつまでもＩＳＤＮ停電切替装置が停電状態として保持されることがなく、電話交換装置が正常に復電した場合には適切なタイミングで停電状態から通常状態に切り替えることができるようになる。
【００３６】
また、前記電話交換装置の収容回線インタフェースとしてのＩＳＤＮ−Ｔ点インタフェース及びＵ点インタフェースに対応して切替可能なＵ点／Ｔ点切替手段を備えれば、電話交換装置の収容回線インタフェースに適合したＩＳＤＮ−Ｔ点インタフェースあるいはＵ点インタフェースの場合のいずれにも対応できるようになり且つ上記効果を得られる。
【図面の簡単な説明】
【図１】本発明の実施の形態１におけるＩＳＤＮ停電切替装置の構成を示す図
【図２】本発明の実施の形態２におけるＩＳＤＮ停電切替装置の構成を示す図
【図３】本発明の実施の形態３におけるＩＳＤＮ停電切替装置の構成を示す図
【図４】従来のＩＳＤＮ停電切替装置の構成を示す図
【符号の説明】
１，１７，３４  ＩＳＤＮ停電切替装置
２，１０，１１，４０  回線切替スイツチ
３  Ｌ２／Ｌ３終端部
４  制御ＣＰＵ
５  Ｕ点対応Ｌ１終端部
６  内線インタフェース回路変換部
７  局給電検出部
８  停電検出部
９  通話検出部
１２  電話交換装置
１３  ＩＳＤＮ局線インタフェース回路
１４  内線インタフェース回路
１５，１６  電話機
２１  通話回数検出部
３９  ＤＳＵ部
４１  Ｔ点対応Ｌ１終端部
５３  動作モード切替スイッチ
【図１】
0004127947.tif 000002
【図２】
0004127947.tif 000003
【図３】
0004127947.tif 000004
【図４】
0004127947.tif 000005